(57)【特許請求の範囲】
【請求項１】
グラスウールからなる板状の下地材の下面側縁に、フランジ状に張出す小口部を一体に設け、前記小口部に剛性強化用の樹脂を含浸させ、前記下地材の下面を覆って前記小口部の上面まで巻き込むシート状の仕上材を設け、前記下地材の上面に部分的に補強フレームを設け、前記補強フレームが軽鉄からなり、前記下地材の前記小口部よりも上方の端面部分に差し込まれる留め具で前記補強フレームを前記下地材に固定した天井パネル。
【請求項２】
複数枚の天井パネルを並設した天井構造であって、隣合う天井パネルの間に換気用のスリットを設け、このスリットの片側または両側に配置される天井パネルを、請求項１記載の天井パネルとし、前記張出し形状の小口部を前記スリットに沿わせた天井構造。
【請求項３】
複数枚の天井パネルを並設した天井構造であって、隣合う天井パネルの間に換気用のスリットを設け、このスリットの片側または両側に配置される天井パネルを、グラスウールからなる板状の下地材の下面側縁に、フランジ状に張出す小口部を一体に設け、前記小口部に剛性強化用の樹脂を含浸させ、前記下地材の下面を覆って前記小口部の上面まで巻き込むシート状の仕上材を設けた天井パネルとし、前記張出し形状の小口部を前記スリットに沿わせ、この天井パネルとスリットを介して並設される天井パネルを、放射冷暖房機能を有する天井放射パネルとした天井構造。
【請求項４】
前記天井パネルが、前記下地材の上面に部分的に補強フレームを設けたものである請求項３記載の天井構造。
【請求項５】
前記補強フレームが軽鉄からなり、前記下地材の前記小口部よりも上方の端面部分に差し込まれる留め具で前記補強フレームを前記下地材に固定した請求項４記載の天井構造。
【請求項６】
前記天井パネルの上方に、不燃性の天井下地ボードを張った請求項２または請求項３または請求項４または請求項５記載の天井構造。
【発明の詳細な説明】
【０００１】
【発明の属する技術分野】
この発明は、住宅等の建物において、換気スリットや放射冷暖房機能を備えた天井構造、あるいは一般の断熱性の天井構造に応用される天井パネルおよび天井構造に関する。
【０００２】
【従来の技術と発明が解決しようとする課題】
従来、快適な冷暖房のために、天井放射冷暖房設備が種々研究されている。天井放射冷暖房は、天井板をアルミ板等の高熱伝導材料の放熱板とし、その放射熱で冷暖房を行うものである。放熱板の加熱や冷却は、例えば放熱板の裏面に取付けた配管に冷温水を流すことで行う。
本出願人は、このような天井放射冷暖房設備と併用して、室内の換気を促すため、天井面に並設される天井パネル間に換気スリットを設けたもの開発した。この場合に、前記換気スリットを介して、天井面の中央側を天井放射パネルとし、側縁側を通常の天井パネルとする。この通常の天井パネルにおいても、前記のような放射冷暖房を行う天井では、断熱機能を有するものとすることが好ましい。そこで、グラスウール等の断熱材を設けた天井パネルを種々試作した。
【０００３】
しかし、天井パネルの外周に金属製のフレームを設けたのでは、天井パネルの重量が重くなり、施工性が悪い。金属フレームに代えて樹脂フレームを使用するのは、耐火上好ましくない。そのため、単にグラスウール等の断熱材を板状として下面にクロスを貼ったものを試みたが、パネル小口部の形状に直線性が得られず、見栄えが悪かった。特に、換気スリットに沿わせる部分では、パネル小口部の形状に直線性が出ていないと、その凹凸が目立つ。
【０００４】
この発明は、上記の各課題を解消するものであり、パネル小口部を直線的に仕上げることができ、かつ断熱性や軽量化が図れる天井パネルおよび天井構造を提供することを目的とする。
【０００５】
【課題を解決するための手段】
この発明の天井パネルは、グラスウールからなる板状の下地材の下面側縁に、フランジ状に張出す小口部を一体に設け、前記小口部に剛性強化用の樹脂を含浸させ、前記下地材の下面を覆って前記小口部の上面まで巻き込むシート状の仕上材を設けたものである。前記下地材には上面に部分的に補強フレームを設ける。この場合に、前記補強フレームは軽鉄製とし、前記下地材の前記小口部よりも上方の端面部分に差し込まれる留め具で前記下地材に固定する。
このように、グラスウールからなる下地材にシート状の仕上材を貼ったものであるため、軽量で、断熱性や不燃性にも優れる。また、小口部は樹脂を含浸させて剛性を強化したため、小口部の縁や、その矩形状の断面形状を直線性のある整然とした形状に維持することができる。
補強フレームを設けた場合は、補強効果と建物躯体への取付性の向上が図れるが、前記のように部分的な補強フレームとすることで、重量の増加を緩和できる。補強フレームが軽鉄製であると、軽量で十分な強度を有するものとでき、不燃性も維持される。前記のようにグラスウールからなる下地材の端面に差し込まれる留め具を使用することで、補強フレームの下地材への結合も簡単に行える。
【０００６】
この発明の天井構造は、複数枚の天井パネルを並設した天井構造であって、隣合う天井パネルの間に換気用のスリットを設け、このスリットの片側または両側に配置される天井パネルを、前記構成の小口部の強化を図った天井パネルとしたものである。
この天井構造において、前記の小口の強化を図った天井パネルとスリットを介して並設される天井パネルを、放射冷暖房機能を有する天井放射パネルとしても良い。このように、天井放射パネルと組み合わせた場合に、この発明の天井パネルの断熱性等が効果的に発揮される。
また、この天井構造において、前記天井パネルの上方に、不燃性の天井下地ボードを張っても良い。このように二重天井とした場合、天井下地ボードで不燃性が確保できるので、天井パネルに貼る仕上げ材の選択範囲が広がる。例えば、仕上材として不織布等を使用することも可能となる。前記小口部に巻き込むように仕上材を貼る場合、ガラスクロス等のような不燃性のものでは、ガラス繊維が折れる等の問題があって貼り難いが、不燃性が不要であれば、貼り付け作業や化粧面で優れた仕上材を自由に選定できる。しかも、二重天井とすることで、天井裏を介して外部に熱が逃げることを防止でき、天井放射冷暖房の効果を高めることができる。
【０００７】
【発明の実施の形態】
この発明の一実施形態を、図１ないし図５と共に説明する。図１はこの天井パネルを用いた天井放射冷暖房形式の天井構造を室内から見た斜視図、図２はその天井の下面図である。
部屋１の天井面２は、周囲をこの発明の天井パネルであるフェイスパネル３，３Ａで構成し、中間部を天井放射パネル４で構成してある。天井放射パネル４は矩形状のものであり、複数枚を一列に横並びに並設してある。天井放射パネル４の長辺側のフェイスパネル３Ａは、天井放射パネル４と同じ長辺長さとし、短辺側のフェイスパネル３は、複数枚の天井放射パネル４に渡る長さとしてある。短辺側フェイスパネル３と天井放射パネル４の間には、換気用スリット５を形成し、その裏側にダクト状の換気路７（図３）が形成してある。天井裏空間６における各フェイスパネル３，３Ａの上方部分は、天井放射パネル４に接続する冷温水の配管や換気用ダクトの配置スペースとし、これら配管およびダクト等のメンテナンスが容易なように、フェイスパネル３，３Ａは着脱可能としてある。
【０００８】
フェイスパネル３は、図３に示すようにグラスウールからなる板状の下地材８の長手方向に沿う下面両側縁に、フランジ状に張出す小口部８ａを一体に設け、下地材８の下面を覆って小口部８ａの上面まで巻き込むシート状の仕上材９を設けたものである。小口部８ａは矩形状の断面形状とし、剛性強化用の樹脂を含浸させる。仕上材９は、不織布を用い、全面を接着剤で下地材８に貼り付ける。仕上材９として不織布を用いると、小口部８ａの鋭角形状に対応でき、下地材８の隠蔽加工ができ、住宅用内装材として色，柄等の変化に対応でき、また放射冷暖房に伴う水分の濡れ対応ができる等の利点がある。
【０００９】
フェイスパネル３の長手方向の両端付近には、短辺方向に沿う補強フレーム１０を下地材８の上面に設け、留め具１１で両端を下地材８に固定する。補強フレーム１０は、リップ溝形の軽鉄を上向きに用いており、そのウエブ部の両端を突出させて、留め具１１とビス（図示せず）等で結合する。留め具１１は、この例ではＺ字状に屈曲した金属板製のものとし、一部を下地板８の小口部８ａよりも上方の端面部分に差し込んで固定してある。下地板８はグラスウールであるため、留め具１１の差し込みは容易に行える。なお、フェイスパネル３Ａは、フェイスパネル３と同じ構成のものとしてある。
【００１０】
図４，図５に示すように、天井放射パネル４は、アルミ板等の高熱伝導材料の放熱板１３に熱媒体の配管１４とフレーム１５とを設け、断熱材１６を積層したものである。配管１６は、図４のように供給配管２３および戻り配管２４を介して冷温水源（図示せず）に接続される。
【００１１】
図４は図２のＸ−Ｘ線に沿う拡大断面を示す。フェイスパネル３および天井放射パネル４は、天井下地桟１７に設置された吊りボルト１８により、金具類（図示せず）を介して支持される。天井下地桟１７は軽鉄等からなり、鉄骨梁（図示せず）の下面に直交して接合されている。天井下地桟１７の下面には石膏ボード等からなる天井下地ボード１９を張り、フェイスパネル３および天井放射パネル４と天井下地ボード１９とで二重天井を構成する。天井裏空間６の外周も、石膏ボード等の内装下地板２０が張ってある。内装下地板２０とフェイスパネル３の間は、スライド式に伸縮可能なカバー２２で閉じてある。
換気用スリット５に沿って設けた換気路７は、長尺のボックス状に形成され、換気ダクト２１を介して送風機（図示せず）に接続されている。
【００１２】
この構成の天井構造によると、天井放射パネル４によって放射冷暖房が行われるため、快適な冷暖房効果が得られる。また、天井面のスリット５から換気を行うため、室内の空気を汚れのない綺麗な状態に保つことができる。
フェイスパネル３は、部屋１内の熱が天井裏に逃げることを防止すると共に、内装の美麗化を図るものであるが、この構成のフェイスパネル３によると、グラスウールからなる下地材８にシート状の仕上材９を貼ったものであるため、軽量で、断熱性や不燃性にも優れ、施工が容易である。また、小口部８ａは樹脂を含浸させて剛性を強化したため、小口部８ａの縁や、その矩形状の断面形状を直線性のある整然とした形状に維持することができる。補強フレーム１０は、軽鉄からなり、一部に設けたものであるため、軽量で十分な強度を有するものとでき、不燃性も維持される。また、補強フレーム１０は、両端で下地材８の端面に差し込まれる留め具１１で取付けるので、グラスウールからなる下地材８への取付けが簡単にかつ確実に行える。
【００１３】
【発明の効果】
この発明の天井パネルは、グラスウールからなる板状の下地材の下面側縁に、フランジ状に張出す小口部を一体に設け、前記小口部に剛性強化用の樹脂を含浸させ、前記下地材の下面を覆って前記小口部の上面まで巻き込むシート状の仕上材を設けたものであるため、パネル小口部を直線的に仕上げることができ、かつ断熱性や軽量化が図れる。
また、この発明の天井構造は、複数枚の天井パネルを並設した天井構造であって、隣合う天井パネルの間に換気用のスリットを設け、このスリットの片側または両側に配置される天井パネルを、前記のように構成したこの発明の天井パネルとしたものであるため、換気用スリット部分における天井パネル小口部の形状を直線性のある綺麗なものとでき、スリット部の見栄えが良い。
【図面の簡単な説明】
【図１】この発明の一実施形態にかかる天井構造の斜視図である。
【図２】その天井面の下面図である。
【図３】（Ａ）は同天井構造に用いた天井パネルであるフェイスパネルの断面図、（Ｂ）はその部分拡大斜視図である。
【図４】図２のＸ−Ｘ線に沿う拡大断面図である。
【図５】同天井構造の天井放射パネルの配管説明図である。
【符号の説明】
１…部屋、２…天井、３…フェイスパネル（天井パネル）、４…天井放射パネル、５…スリット、６…天井裏空間、７…換気用ダクト、８…下地材、８ａ…小口部、９…仕上材、１０…フレーム、１１…留め具
【図１】
0003701721.tif 000002
【図２】
0003701721.tif 000003
【図３】
0003701721.tif 000004
【図４】
0003701721.tif 000005
【図５】
0003701721.tif 000006